(57)【特許請求の範囲】
【請求項１】
セカンダリ局を動作させる方法であって、前記セカンダリ局が、MIMO通信によって少なくとも１つのプライマリ局と通信し、推奨されるプリコーディング係数の少なくとも1つのセットを表す１つのプリコーディング・インジケータを前記プライマリ局に通知し、前記１つのプリコーディング・インジケータが、複数の利用可能なMIMO送信モードに共通であり、１つのフィードバック・レポートにおいて前記複数の利用可能なMIMO送信モードのランクの指標及びCQIの少なくとも１つと共に送信される、方法。
【請求項２】
前記複数の利用可能なMIMO送信モードは、シングル・ユーザMIMO送信モード及びマルチ・ユーザMIMO送信モードを少なくとも含む、請求項１に記載の方法。
【請求項３】
前記複数の利用可能なMIMO送信モードは、第1送信ランク範囲を有するMIMO送信モード及び第２送信ランク範囲を有するMIMO送信モードを少なくとも含み、前記１つのプリコーディング・インジケータは、異なる仮定に従って導き出される２つ以上の送信レートを考慮して選択される、請求項１又は請求項２に記載の方法。
【請求項４】
前記セカンダリ局が、前記１つのプリコーディング・インジケータにより前記プライマリ局に通知されるべき前記利用可能なMIMO送信モードのうちの少なくとも１つのための推奨されるプリコーディング係数のセットを決定する、請求項１から請求項３のいずれか一項に記載の方法。
【請求項５】
推奨されるプリコーディング係数の前記セットは、プリコーディング行列のセットを含むプリコーディング・コードブックから選択され、前記プリコーディング・インジケータは、前記プリコーディング・コードブックのエントリーに対するインデックスを表すプリコーディング行列インジケータである、請求項４に記載の方法。
【請求項６】
MIMO送信により少なくとも１つのプライマリ局と通信するための手段、及び、少なくとも１つの推奨されるプリコーディング係数のセットを表す１つのプリコーディング・インジケータを前記プライマリ局に通知するための手段を有し、前記１つのプリコーディング・インジケータが、複数の利用可能なMIMO送信モードに共通であり、１つのフィードバック・レポートにおいて前記複数の利用可能なMIMO送信モードのランクの指標及びCQIの少なくとも１つと共に送信される、セカンダリ局。
【請求項７】
MIMO通信により少なくとも1つのセカンダリ局と通信するための手段を有するプライマリ局であって、少なくとも１つの推奨されるプリコーディング係数のセットを表す１つのプリコーディング・インジケータを前記セカンダリ局から受信し、前記１つのプリコーディング・インジケータが、複数の利用可能なMIMO送信モードに共通であり、１つのフィードバック・レポートにおいて前記複数の利用可能なMIMO送信モードのランクの指標及びCQIの少なくとも１つと共に送信され、当該プライマリ局は、前記１つのプリコーディング・インジケータに少なくとも部分的に基づいて前記複数の利用可能なMIMO送信モードから送信モードを選択するための制御手段を有する、プライマリ局。
【発明の詳細な説明】
【技術分野】
【０００１】
本発明は、プライマリ局が少なくとも１つのセカンダリ局と通信するモバイル通信ネットワークにおいて無線局を動作させるための方法に関する。
【０００２】
本発明は、例えば、プライマリ局とセカンダリ局との間の通信が異なるモード(例えばマルチ/シングル・ユーザに対するMIMO送信、MIMO送信の異なるランク又はSISO/MIMOモード)を用いることができるIEEE 802.11ネットワーク又はUMTS Long Term Evolution(LTE及びLTE-Advanced)ネットワークに関する。
【背景技術】
【０００３】
セルラ通信システムにおいて、セル中の複数のユーザ端末は、当該セルのサービスを提供するプライマリ局と通信する。セルラ・システムの以降の世代によって、達成可能なデータ速度は増加し続けている。UMTS及びLTEのような進化したシステムにおいて、MIMO、プリコーディング又はビーム成形としてさまざまに説明されるマルチ・アンテナ送信/受信技術が、１つのプライマリ局から移動端末への送信のためにサポートされる。ビーム成形モードの空間的選択性のおかげで、そのような送信モードは、平均的な干渉レベルを維持しつつ、達成可能なデータ速度及び通信範囲の重要な増加を可能にした。
【０００４】
ビーム成形を達成するために、アンテナ・アレイを有する典型的な送信局は、送信ストリームが受信局に向けて空間的に導かれるように、(プリコーディング行列又はプリコーディング・ベクトルを形成する)１セットの複素係数を、そのそれぞれのアンテナから送信される信号に適用する。LTEのような無線通信システムにおいて、基地局及び端末の両方は、一般的に複数のアンテナを備える。これは、SISO送信モードのような従来の送信モードのほかに、異なるMIMO動作モードを可能にする。適切な送信モードを選択することを考慮したチャネル条件の決定において基地局をサポートするために、移動端末は、一般的に、アンテナの各ペアのためのダウンリンク・チャネルを測定して、基地局に送信するためのチャネル状態レポートを導き出す。
【０００５】
そして基地局は、
・どの端末に送信すべきか
・どの周波数/時間/符号リソースが用いられるべきか
・MIMO送信モード・パラメータ(例えば、空間ストリームの数、及び、SU-MIMOであるかMU-MIMOであるか)
のようなスケジューリング決定のためにこの情報を用いることができる。
【０００６】
そのようなシステムの実施態様において、プリコーディング・コードブックが定められる。これらのプリコーディング・コードブックは、コンパクトな態様におけるチャネル・プリコーディング係数又はプリコーディング重みのプリコーディング行列(又はプリコーディング・ベクトル)を記述する態様と見なされることができ、それによって、プリコーディングを示すために必要なシグナリングの量を低減する。これらのコードブックはさらに、(LTEでは使用者機器又はUEとして定められる)ユーザ端末が、コードブック・エントリーに対するインデックスの形で、ダウンリンク送信のための好ましいプリコーダをネットワークに報告することを可能にする。
【０００７】
この場合には、好ましいプリコーダは、(LTEではeNodeBとして定められる)基地局の送信アンテナに適用されるべき１セットの複素係数である。同様に、プリコーディング・コードブックは、ユーザ端末への送信のために使用されるプリコーディングを通知するために、基地局によって用いられることもできる。これは、各々のダウンリンク送信の復調のための共通のパイロット・シンボルから適切な位相/振幅基準をユーザ端末が導き出すことを可能にする。
【０００８】
チャネル状態情報を獲得するための効果的な方法は、送信機において適用されると最高のデータ速度をもたらすエントリーをプリコーダのコードブックから選択することである。この情報は、PMI(Precoding Matrix Indicator：プリコーディング行列インジケータ)として通知されることができる。仮定される空間ストリームの数又はランク・インジケータ(RI)は、一般的にそのようなレポートの一部である。
【０００９】
コードブック設計の一例として、４つのTxアンテナのためのLTE Release 8コードブックは、ネスト構造を有する。これは、所与のコードブック・インデックスに対して、所与の送信ランクのためのプリコーディング・ベクトルが、次に大きなランクのためのベクトルのサブセットであることを意味する。この特徴は、(同じ端末に送信される複数のレイヤを伴う)SU-MIMO及び(複数の端末に送信される限られた数のレイヤを伴う)MU-MIMOの両方のために同じコードブックを用いる際に有用な場合がある。
【００１０】
LTE-Aのために、SU-MIMO送信モードとMU-MIMO送信モードとの間の動的な切り替えがサポートされることが意図されている。この場合には、UEフィードバックが両方のモードに対して適切であることが望ましい。これは、両方のモードのためのPMI/RI及びCQIを送信することによって達成されることができる。２つのモードのためのPMI/CQI計算間の主要な差異は、
・仮定される最大の送信ランク(例えば、SU-MIMOではアンテナの数によってのみ制限され、MU-MIMOでは最大でrank=2)
・利用可能なパワー(例えば、SU-MIMOではフル・パワー、MU-MIMOでは端末間で分配されるパワー)
・干渉についてのおそらく異なる仮定
である場合がある。
【００１１】
しかしながら、それは、より多量のリソースを必要とする。本発明の１つの目的は、PMIを通知するために必要とされるビットの数を低減することである。
【発明の概要】
【発明が解決しようとする課題】
【００１２】
上述した問題を軽減する方法を提案することが本発明の目的である。
【００１３】
多くの通知リソースを必要とすることなく適切な送信モードの選択に関する決定をプライマリ局が行うことを可能にする方法を提案することが本発明の他の目的である。
【００１４】
プリコーディング係数の推奨されるセットを提供するためにセカンダリ局において必要とされる計算の量を低減する方法を提案することが本発明の他の目的である。
【課題を解決するための手段】
【００１５】
本発明の第１の態様によれば、MIMO送信により少なくとも１つのプライマリ局と通信するセカンダリ局を動作させるための方法が提案され、当該方法は、セカンダリ局が、プライマリ局に１セットの推奨されるプリコーディング係数を表わす１つのプリコーディング・インジケータを通知し、同じ１つのプリコーディング・インジケータが、複数の利用可能な送信モードに適用される。
【００１６】
本発明の第２の態様によれば、セカンダリ局が提案され、当該セカンダリ局は、MIMO送信により少なくとも１つのプライマリ局と通信するための手段、プライマリ局に１セットの推奨されるプリコーディング係数を表わす１つのプリコーディング・インジケータの通知するための手段を有し、同じ１つのプリコーディング・インジケータが、複数の利用可能な送信モードに適用される。
【００１７】
本発明の第３の態様によれば、プライマリ局が提案され、当該プライマリ局は、MIMO送信により少なくとも１つのセカンダリ局と通信するための手段を有し、当該プライマリ局は、セカンダリ局から１セットの推奨されるプリコーディング係数を表わす１つのプリコーディング・インジケータを受信し、同じ１つのプリコーディング・インジケータが、複数の利用可能な送信モードに適用され、当該プライマリ局は、推奨されるプリコーディング係数に少なくとも部分的に基づいて複数の利用可能な送信モードから送信モードを選択するための制御手段を有する。
【００１８】
したがって、セカンダリ局は、複数の送信モードに適用される１つのプリコーディング・インジケータのみを通知する。実際、各々の対応する送信モードのための係数の推奨されるセットを各々が表わす、各々の送信モードのためのプリコーディング・インジケータを提供する代わりに、複数の送信モードの各々のためのプリコーディング係数の推奨されるセットのそれぞれのセットを表わすことができる１つの単一のプリコーディング・インジケータのみを必要とする。したがって、推奨されるプリコーディング係数を通知するために必要なリソースの量は低減される。本発明の一実施例は、２つの異なる送信モード(例えばSU-MIMO及びMU-MIMO、又は、他のもの)のための一緒に最適化されたコードブック・インデックスが実際には著しく低いデータ速度につながるというわけではないとの認識に基づく。さらに、SU-MIMO/MU-MIMOの特定の例において、SU-MIMOにとって準最適であるコードブック・インデックスの選択がMU-MIMOに対するよりも送信レートへの影響が少ない場合があり、その場合には、インデックス選択は、MU-MIMOのために高い送信レートを達成する方へバイアスをかけられることができる。
【００１９】
そのうえ、１つの単一プリコーディング・インジケータの通知は、セカンダリ局による計算及び動作あまり要求しない場合があり、したがって、セカンダリ局に対する少ない計算パワー要件及び少ないエネルギーコストにつながる。
【００２０】
本発明のこれらの及び他の態様は、以下に記述した実施の形態から明らかであり、それらを参照し説明される。
【００２１】
ここで、本発明は、添付の図面を参照してさらに詳細に一例として説明される。
【図面の簡単な説明】
【００２２】
【図１】本発明の第１の実施の形態が実施されるシステムのブロック図。
【図２Ａ】従来の方法によるプリコーディング係数を報告するために使用されるシグナリング・メッセージ。
【図２Ｂ】第１の実施の形態によるプリコーディング係数を報告するために使用されるシグナリング・メッセージ。
【図３】本発明の第２の実施の形態によるプリコーディング係数を報告するために使用されるフレーム。
【発明を実施するための形態】
【００２３】
本発明は、図1に説明されるような、802.11 (例えば802.11n)又はUMTS (例えばUMTS LTE若しくはLTE-Advancedシステム)のようなモバイル通信システムに関する。プライマリ局(例えば、LTEの実施の形態ではeNodeB)100は、複数のセカンダリ局(例えば、LTEの実施の形態では使用者機器(UE))110と通信する。
【００２４】
図1の通信システムは、複数のセカンダリ局110が位置するセル101中で動作するプライマリ局100を有する。単純にするために、２つのセカンダリ局110のみが図1に表される。プライマリ局100は、１つ以上の空間チャネル上でビーム成形モードにおいて送信するために送信アンテナに適用される信号の利得及び位相を調節することができるプリコーダ105によって制御される複数の送信アンテナ104を有する。データ信号111a及び111bから生じる１つのデータ・ビーム111が、プライマリ局100からセカンダリ局110へと図1おいて表される。単純化するために、シングル・ユーザMIMO送信モード(SU-MIMO)に対応する１つのデータ・ビームのみが図1に表される。マルチ・ユーザMIMO(MU-MIMO)動作モードでは、更なるビームが他のセカンダリ局110に導かれる。このデータ・ビーム111は、データが例えばPDSCH(Physical Downlink Shared CHannel)のようなデータ・チャネルで送信されることができる空間チャネルを形成する。セカンダリ局は、PDSCHで伝達されるデータ送信に使用される空間チャネル(例えばアンテナ・ポート又は仮想アンテナ)を物理レイヤ・シグナリング(例えばPDCCH、すなわちPhysical Downlink Control CHannel)によって通知されることができる。
【００２５】
プリコーディング係数の推奨されるセットをプライマリ局100にフィードバックするために、セカンダリ局110は、アップリンク制御チャネル115を用いる。
【００２６】
本発明の第１の実施の形態によれば、プリコーディング係数は、例えば、SU-MIMO及びMU-MIMOのみに限定されない複数の送信モードに共通の１つのレポートによって通知されることが提案される。例えば、同じことが、送信のランクが異なるMIMO送信モードに対して実行されることができる。送信のランクは、使用されるデータ・ストリームの数及び送信専用のアンテナの数を定める。下記の実施の形態において、SU-MIMO及びMU-MIMOのためのコードブックは、独立しているか、又は、例えば、４つの送信アンテナのためのLTE Rel 8コードブックにおいて見出されるネスト特性を用いた複合コードブックであることができることが留意されるべきである。
【００２７】
図1のようなSU-MIMO/MU-MIMOの場合、本発明のこの実施例は、SU-MIMO及びMU-MIMOのための一緒に最適化されたコードブック・インデックスが実際には著しく低いデータ速度につながるというわけではないとの仮定に基づく。一緒に最適化されたコードブックは、専用に最適化されたコードブック・インデックスより僅かに悪いデータ速度につながる可能性がある。しかしながら、テストによれば、この劣化は非常に小さい。
【００２８】
１つのプリコーディング・インジケータが、プリコーディング係数の複数のセットを示すことができることに留意する必要がある。実際、プライマリ局における係数の検索は、受信コードブック・インデックスに、そして、モードがMU-MIMOであるかSU-MIMOであるか又は送信ランクのような他のパラメータに依存する。実際には、所与のコードブック・インデックスによって示される係数の特定のセットは、一般的に、考慮される送信モード(例えば送信ランク)及びコードブック設計によって決まる。一般的に、１より大きい送信ランクのために、係数のセットのそれぞれの部分は、各々の空間ストリーム(又はレイヤ)に関連付けられる。
【００２９】
さらに、いくつかのシナリオにおいて、SU-MIMOに対する準最適なコードブック・インデックスの選択は、MU-MIMOに対するよりも送信レートへの影響が少なく、その場合、インデックス選択は、MU-MIMOに対して大きな送信レートを達成する方へバイアスをかけられることができる。これは、以下でこの実施の形態の変形例において説明するように、重みつき共同レートの計算によって、セカンダリ局における選択フェーズにおいて実行されることができる。
【００３０】
実際、この第１の実施の形態により、セカンダリ局は、例えば、受信信号に関して実行される測定から、インデックスiによって示される、推奨されるプリコーディング係数のセットを選択する。変形例において、セカンダリ局は、送信モードkのために可能なランクのセットrk={rk,1;...; rk,n}からランクを選択することもできる。i及び/又はrk = {rk,1;...; rk,n}のこの選択は、共同レート
0005872538.tif 000002
が最大にされるように実行される。この式において、重みは０≦αk＜１であることができ、RMIMOkは、MIMO送信モードkに対する推定されるデータ速度である。特定の場合、
0005872538.tif 000003
である。
【００３１】
より具体的には、PMIが２つの送信モード(例えばSU-MIMO/MU-MIMO)に共通である場合、セカンダリ局は、以下のように各々のコードブック・インデックスに対する共同レートを計算する。
0005872538.tif 000004
ここで、
- iは、共同コードブック・インデックスであり、SU及びMU-MIMOコードブックの両方においてコードブック・エントリーを示すために使用される;
- rSU及びrMUは、それぞれSU-MIMO及びMU-MIMOのための送信ランクである;
- RSU及びRMUは、それぞれSU-MIMO及びMU-MIMOに対して達成可能な送信レートである;
- α及びβは、重み係数である。以下でさらに議論される特別なケースでは、β = 1 - αである。
【００３２】
一般的に、コードブック・サーチは、合計(共同)レートを最大にするi, rSU, rMUのセットを与える。
【００３３】
α(及び/又はβ)の選択は、SU又はMU MIMOの方へコードブック・インデックスの選択にバイアスをかけるために用いられることができる。SU又はMU MIMO送信が基地局によって選択されることは、同様に、平均的な確率と関連があるとして考慮されることができる。この場合には、αの値は、いくつかのタイムインターバルにわたって達成される平均的なレートを最大にするように設計されることができる。この重みは、予め定められていることができる。しかしながら、変形例において、この重みは、状況及びどの送信モードが好ましいかに依存して、プライマリ局によって調節されて、セカンダリ局に通知される。したがって、第１の実施の形態のこのバリエーションにおいて、基地局は、SU又はMU-MIMOの方へのコードブック・インデックス(PMI)選択のバイアスを調節するための重み係数を通知する。更なるバリエーションにおいて、重み係数は、セカンダリ局によって選択されることができ、おそらくプライマリ局に通知されることができる。
【００３４】
図2A及び2Bは、この実施の形態のおかげで達成されるリソース節約を比較することを可能にする。図2A及び2Bにおいて、８つのアンテナ及び仮定される８つの受信アンテナのためのコードブックに対するセカンダリ局フィードバックのためのビットの典型的な数は、以下の通りである。
【００３５】
従来のシステムに対する図2A。
- SU-MIMOフィールドは以下を含む。
●PMI(6ビット)
●RI(ランク・インジケータ)-ランク1〜8(3ビット)
●最高２つの符号語のためのCQI(チャネル品質インジケータ)(6ビット)
- MU-MIMO
●PMI(6ビット)
●RI-ランク1又は2(1ビット)
●最高２つの符号語のためのCQI(6ビット)
合計で28ビットが必要。
【００３６】
本発明によるシステムに対する図2B。
- 共同シグナリング
●PMI(6ビット)
- SU-MIMO
●RI-ランク1〜8(3ビット)
●最高２つの符号語のためのCQI(6ビット)
- MU-MIMO
●RI-ランク1又は2(1ビット)
●最高２つの符号語のためのCQI(6ビット)
合計で22ビットが必要。
【００３７】
そして、基地局は、この情報に基づいて１つ以上のUEに送信をスケジューリングすることができ、例えば、送信スキーム及びパケット・サイズを選択する。利用可能な送信スキームは、１つ以上の空間レイヤが送信されるSU及びMU-MIMOを含む。この例では、最高２つの符号語が送信され、推定される達成可能な合計送信レートは、各々の符号語に対して達成可能なレートの合計である。
【００３８】
更なるバリエーションにおいて、典型的な仮定の下では、MU-MIMOのためのランクは、常に等しいか又は低いはずであるので、SU-MIMOのための送信ランクは、MU-MIMOのための送信ランクと一緒に符号化される。
【００３９】
図3に説明される更なるバリエーションにおいて、SU-MIMOのために考慮される送信ランクは、MU-MIMOのために考慮される送信ランクを含まない。SU-MIMO及びMU-MIMOに対するフィードバック計算のための仮定が送信ランクに関する仮定においてのみ異なる場合、これは適切である。したがって、それは、送信されるべきデータの量をさら低減することを可能にする。更なるバリエーションにおいて、同様に、１つ以上のCQI値は、それらの値が同様である可能性があるので、区別して符号化される。
- 共同シグナリング
●PMI(6ビット)
●RI-ランク
●SU-MIMOのためのCQI(6ビット)
- MU-MIMO
●差分CQI(3ビット)。MU-MIMO符号語のためのCQIは、SU-MIMO符号語のうちの１つのためのCQIと差分CQIを合わせることによって得られる。
【００４０】
同様の実施の形態において、パラメータの各々のセットは、それぞれの送信モードの各々ために、送信の好ましいランク、達成可能なデータ速度、達成可能なデータ速度の推定値、１つのプリコーディング・インジケータによって通知されたものとは異なるプリコーディング係数のセットを示す利用可能な送信モードのうちの少なくとも１つのための更なる情報のうちの少なくとも１つを含む。
【００４１】
更なる実施例において、MU-MIMOのための送信ランクは、ランク１に制限される。
【００４２】
更なるバリエーションにおいて、フィードバックは、利用可能な送信スペクトラムの複数の部分に対して送信される。
【００４３】
この実施の形態において、２つの異なる送信モードのみが簡潔さ及び簡明さのために説明されることに留意する必要がある。しかしながら、この実施の形態は、２つの送信モードに制限されず、２つより多くの送信モードを考慮するために容易に拡張されることができる。
【００４４】
他の実施例において、コードブック・インデックス選択のために一緒に考慮される送信モードは、異なる送信ランク範囲を有するMIMO送信モードである。実際、この実施の形態の例において、第１送信ランク範囲は、r=1、すなわち、ランク1のMIMO送信モードであることができ、第２送信範囲は、r={2;4;8}、すなわち、少なくとも2のランクのMIMO送信モード(複数のストリームがセカンダリ局に導かれる)であることができる。例において、コードブック・インデックスの共同最適化のために考慮される異なる送信モードは、MU-MIMO(ランク1)及びMU-MIMO(ランク2)である。他の例において、２つより多い送信モードが、コードブック・インデックスの共同最適化のために考慮される(例えばSU-MIMO、MU-MIMO(ランク1)、MU-MIMO(ランク2))。
【００４５】
本発明の第２の実施の形態によれば、システムは、共同コードブック・インデックスの選択において、第１の実施の形態のシステムと異なる。第１の実施の形態において、
0005872538.tif 000005
を最大にすることによって各々のコードブック・インデックスの共同レートを計算することが提案される。ここで、
- iは、共同コードブック・インデックスであり、SU及びMU-MIMOコードブックの両方においてコードブック・エントリーを示すために使用される。
- rSU及びrMUは、それぞれSU-MIMO及びMU-MIMOのための送信ランクである。
- RSU及びRMUは、それぞれSU-MIMO及びMU-MIMOに対して達成可能な送信レートである。
- α及びβは、重み係数である。特別なケースでは、β = 1 - αである。
【００４６】
一般的に、コードブック・サーチは、合計(共同)レートを最大にするi, rSU, rMUのセットを与える。
【００４７】
第２の実施の形態は、SU-MIMO及びMU-MIMOを考慮することに制限されない。それは、eNBが、UEによって示されたものとは異なる送信ランクを用いることを望む可能性がある任意の場合に適用されることができる。例えば、コードブック・サーチの他の基準は、
0005872538.tif 000006
を最大にするように、コードブック・インデックスi = ioptの最適の値を選択することであることができる。
【００４８】
ここで、共同レートは、ランク1及び最高のレートを与えるランク(すなわちropt)に対するレートの重み付き平均として計算される。したがって、セカンダリ局は、共同レートが最大にされるように、推奨されるプリコーディング係数iのセットを選択する。この共同レートは、ランク1及び最高のレートを与えるランクのためのレートの重み付き平均に基づく。
【００４９】
より一般的な場合では、報告されるコードブック・インデックスは、異なる仮定(例えば異なるランク、異なる送信モード、異なる干渉条件)に従って導き出される２つ以上の送信レートを考慮する最適化であることができる。
【００５０】
LTEにおけるUEからのチャネル状態レポートの一部は、事実上、チャネルがサポートすることができる送信レートであるCQI値である。この場合には、それぞれRSU(iopt, ropt)及びRSU(i, 1)に対応する２つのCQI値が報告されることができる。しかしながら、CQI報告のためのオーバーヘッドを最小化すること(例えば、１つのCQI値のみを報告すること)が望ましい。２つの値の間の差分符号化が知られていることに注意されたい(例えば、１つのCQI値及びそれと第２の値との間の差分を報告すること)。
【００５１】
上記実施例において、UEは、(例えば、式2における基準から導き出されるような)コードブック・サーチから最大化された共同レートに対応するCQI値を報告することができる。
【００５２】
しかしながら、これが、実際に報告するための最良のCQI値ではない場合がある。我々は、一般的に、RSU(iopt, ropt) ≧ RSU(i, 1)であることに留意する。
【００５３】
さらに、チャネル容量についてのシャノン-ハートレイ式R = B log2 (1+S/N)に基づいて、我々は、RSU(iopt, ropt) ≦ ropt RSU(iopt, 1)であることに留意し、これは、報告される最高のレートに関する上限及び下限を定める（すなわち、ropt RSU(iopt, 1) ≧ RSU(iopt, ropt) ≧ RSU(iopt, 1)）。これは、報告によって、eNBが、ランク1のためのレートを知り、（例えば、(ropt+1)RSU(iopt, 1)/2として）最適のランクのためのレートを推定することを可能にすることを提案する。したがって、セカンダリ局が、選択された送信ランクと、予め定められたランクによる推奨されたプリコーディング係数のセットに対して得られるデータ速度との積に基づくレート推定値をプライマリ局に報告することが有利である。
【００５４】
更なる可能性は、eNBにおいてランク1及び最適のランクのためのレートの推定値の合計誤差を最小化するレートを報告することである。これは、Rav = δropt RSU (iopt, 1) + (1-δ)RSU (iopt, ropt)のような、複合重みつきレートを報告することによって達成されることができる。
【００５５】
または、より一般的には、Rav = δropt RSU (iopt, 1) + εRSU (iopt, ropt)である。ここで、δ及びεは重みであり、roptは最適なランクであり、ioptは、最適なプリコーディング係数のセットであり、RSU(i,r)は、ランクrを有する送信モード及びプリコーディング係数iのセットに対するデータ速度である。
【００５６】
報告されたランクの情報及びそれぞれのランクのためのレートの統計に基づいて、eNBは、最適なランク及びランク1に対してUEによって観察されるレートを推定することができ、それは、δ及びεに同じ値を用いてeNB及びUEによって容易にされる。これらの値は、規格において一定であるか、より高次のレイヤ・シグナリングによって設定されるか、又は、何らかの他のパラメータから計算されることができる。それらは、チャネル条件(例えばSNR、最適の送信ランク)に依存する場合もある。
【００５７】
より一般的な場合、報告されるCQIは、異なる仮定(例えば、異なるランク、異なる送信モード、異なる干渉条件)に従って導き出される２つ以上のCQI/レート値の組み合わせであることができる。
【００５８】
例示的な実施の形態において、推奨されるプリコーディング係数は、ダウンリンク送信を考慮して、ユーザ機器において決定される。しかしながら、本発明の変形例において、基地局又はノードBが、本発明に従って推奨されるプリコーディング係数を決定することができ、上記の詳細な実施の形態と同様の態様でこれらを通知することができる。さらに、例えばLTEにおいて、同じコードブックが、一方では、実際に基地局によりダウンリンクにおいて適用されるプリコーディング・ベクトル又は行列をユーザ端末に通知するために、そして他方では、上記の実施の形態において説明されたように、位相/振幅基準が導き出されることを可能にするためにユーザ端末によって好ましいプリコーディング行列をフィードバックするために、用いられることができる。
【００５９】
本発明は、プライマリ局とセカンダリ局との間の送信の複数のモード、特にMIMO及びMU-MIMOモードを用いる無線通信システムにおいて、特定の(但し排他的でない)アプリケーションを有する。例は、セルラ・システム(例えば、無線LAN(IEEE 802.11n)及び広帯域無線(IEEE 802.16)と同様に、UMTS、UMTS LTE及びUMTS LTE-Advanced)を含む。
【００６０】
本願明細書及び請求の範囲において、要素に先行する"a"又は"an"は、そのような要素が複数存在することを除外しない。さらに、「有する」「含む」などの用語は、挙げられたもの以外の要素又はステップの存在を除外しない。
【００６１】
請求の範囲おいて括弧間に含まれる参照符号は、理解を助けることを目的としており、制限することを目的としない。
【００６２】
本開示を読むことから、他の変形例が当業者にとって明らかとなるだろう。そのような変形例は、無線通信の分野において既に知られている他の特徴を含む場合がある。
【図１】
0005872538.tif 000007
【図２Ａ】
0005872538.tif 000008
【図２Ｂ】
0005872538.tif 000009
【図３】
0005872538.tif 000010